(57)【要約】【課題】ファンロータの吸い込み側へのもれ流れの防止とファン性能の劣化防止を両立することが可能なシロッコファンを提供する。【解決手段】シロッコファン１は、ファンロータ３と、ハウジング２と、逆流防止板１０とを備えている。逆流防止板１０は、ファンロータ３の外周の空気がファンロータ３の羽根１８の外周に配置されたエンドリング１７とハウジング本体２ａの内壁２０との隙間２１を通って当該ファンロータ３の吸込み側へ空気が逆流することを防止する。逆流防止板１０の長さは、ハウジング２の舌部１４近傍の所定の範囲以外の範囲内ではハウジング本体２ａの内壁２０からエンドリング１７における吸込口７から遠い遠位端１７ａまでの長さに等しい長さである第１長さＨ１に設定され、かつ、舌部１４近傍の所定の範囲内において第１長さＨ１よりも長い第２長さＨ２になるように設定されている。【選択図】図２
2014077380.tif 000002
【特許請求の範囲】
【請求項１】
回転軸回りに回転可能なファンロータ(3)であって、当該回転軸の周囲の円周上に配列された複数の羽根(18)、および当該羽根(18)のそれぞれの吸込み側の端部を互いに連結する環状のリング部(17)を有するファンロータ(3)と、
前記ファンロータ(3)を収容する収容部(2a)、前記羽根(18)の吸込み側の端部に対向して開口し、外部から当該収容部(2a)の内部へ空気を吸い込む吸込口(7)、前記収容部(2a)に連結され、前記収容部(2a)から外部へ空気を吹き出す吹出口(8)を有する吐出管部(2b)、および前記収容部(2a)と前記吐出管部(2b)との境界部分である舌部(14)を有するハウジング(2)と、
前記ハウジング(2)の前記収容部(2a)における前記吸込口(7)が形成された部位の内壁(20)から前記回転軸の延びる方向に突出し、前記リング部(17)の外周を取り囲むように配置され、前記ファンロータ(3)の外周の空気が前記リング部(17)と前記収容部(2a)の内壁(20)との隙間(21)を通って当該ファンロータ(3)の吸込み側へ空気が逆流することを防止する逆流防止板(10)と
を備えており、
前記回転軸の延びる方向における前記逆流防止板(10)の長さは、前記舌部(14)近傍の所定の範囲以外の範囲内では前記収容部(2a)における前記吸込口(7)が形成された部位の内壁(20)から前記リング部(17)における前記吸込口(7)から遠い側の端である遠位端(17a)までの長さに等しい長さである第１長さ(H1)に設定され、かつ、前記舌部(14)近傍の所定の範囲内においては前記第１長さ(H1)よりも長い第２長さ(H2)になるように設定されている、
ことを特徴とするシロッコファン。
【請求項２】
前記逆流防止板(10)の長さは、前記第１長さ(H1)と前記第２長さ(H2)との間で移行する区間において徐々に変わるように設定されている、
請求項１に記載のシロッコファン。
【請求項３】
前記所定の範囲は、前記ファンロータ(3)の周方向について前記回転軸から前記舌部(14)を向く方向を基準として±２０度の範囲であり、当該±２０度の範囲内において、前記逆流防止板(10)の長さは、前記第２長さ(H2)になるように設定されている、
請求項１に記載のシロッコファン。
【発明の詳細な説明】
【技術分野】
【０００１】
本発明は、シロッコファンに関するものである。
【背景技術】
【０００２】
空気調和機などに用いられるシロッコファンにおいて、ファンロータの外周側から吸込み側へ流れるもれ流れを防ぐために従来より種々の構造のシロッコファンが提案されている。例えば特許文献１に記載されているシロッコファンのように、ハウジング内部にファンロータが回転自在に収容され、ハウジング側にファンロータの上部を外周から覆う円筒状の逆流防止板が形成されたシロッコファンがある。この逆流防止板は、ファンロータのエンドリングおよびその下方の羽根の一部を外周から覆い隠すことにより、ファンロータ外周の空気がファンロータ上端とハウジングの内壁との隙間を通して空気がもれてファンロータの吸込み側へ空気が逆流することを防止している。逆流防止板の長さは、ハウジングの内壁の吸込口側からエンドリング下端までの長さより短い場合には、ファンロータ上端とハウジングの内壁との隙間からのもれ流れの防止が十分ではなく、一方、エンドリング下端までの長さよりも長い場合には、もれ流れの防止はできるが、ファン性能の劣化のおそれがある。
【先行技術文献】
【特許文献】
【０００３】
【特許文献１】特許第３６４９８１５号公報
【発明の概要】
【発明が解決しようとする課題】
【０００４】
しかし、特許文献１記載のシロッコファンのように、逆流防止板がファンロータの全周にわたって一様に長い構造では、エンドリングとハウジングの内壁との間のもれ流れを防止するが、その一方では、羽根の部分まで覆うことになるので、ファンの性能が劣化するおそれがある。
【０００５】
本発明は、上記のような事情に鑑みてなされたものであり、ファンロータの吸い込み側へのもれ流れの防止とファン性能の劣化防止を両立することが可能なシロッコファンを提供することを目的とする。
【課題を解決するための手段】
【０００６】
本発明の発明者らは、ファンロータ(3)のエンドリングの下方の羽根(18)の部分においてファンロータ(3)の吸込み側へ空気が逆流する現象がハウジング(2)の舌部(14)近傍において発生することを発見し、その舌部(14)近傍の区間において、ファンロータ(3)のエンドリングの下方の羽根(18)の部分を逆流防止板(10)で覆い、一方、舌部(14)近傍以外の範囲では当該羽根(18)の部分を覆わないようにすれば、ファン性能の劣化を抑えながらファンロータ(3)の吸い込み側へのもれ流れの防止か可能であることを見出した。
【０００７】
すなわち、本発明のシロッコファンは、回転軸回りに回転可能なファンロータ(3)であって、当該回転軸の周囲の円周上に配列された複数の羽根(18)、および当該羽根(18)のそれぞれの吸込み側の端部を互いに連結する環状のリング部(17)を有するファンロータ(3)と、前記ファンロータ(3)を収容する収容部(2a)、前記羽根(18)の吸込み側の端部に対向して開口し、外部から当該収容部(2a)の内部へ空気を吸い込む吸込口(7)、前記収容部(2a)に連結され、前記収容部(2a)から外部へ空気を吹き出す吹出口(8)を有する吐出管部(2b)、および前記収容部(2a)と前記吐出管部(2b)との境界部分である舌部(14)を有するハウジング(2)と、前記ハウジング(2)の前記収容部(2a)における前記吸込口(7)が形成された部位の内壁(20)から前記回転軸の延びる方向に突出し、前記リング部(17)の外周を取り囲むように配置され、前記ファンロータ(3)の外周の空気が前記リング部(17)と前記収容部(2a)の内壁(20)との隙間(21)を通って当該ファンロータ(3)の吸込み側へ空気が逆流することを防止する逆流防止板(10)とを備えており、前記回転軸の延びる方向における前記逆流防止板(10)の長さは、前記舌部(14)近傍の所定の範囲以外の範囲内では前記収容部(2a)における前記吸込口(7)が形成された部位の内壁(20)から前記リング部(17)における前記吸込口(7)から遠い側の端である遠位端(17a)までの長さに等しい長さである第１長さ(H1)に設定され、かつ、前記舌部(14)近傍の所定の範囲内においては前記第１長さ(H1)よりも長い第２長さ(H2)になるように設定されていることを特徴とする。
【０００８】
かかる構成によれば、逆流防止板(10)がファンロータ(3)のリング部(17)の外周を取り囲むように配置されているので、当該逆流防止板(10)はファンロータ(3)の全周にわたってリング部(17)の外周を覆っている。また、逆流防止板(10)の長さは、回転軸の延びる方向から見て、少なくともハウジング(2)の収容部(2a)における吸込口(7)が形成された部位の内壁(20)からリング部(17)における吸込口(7)から遠い側の端である遠位端(17a)までの長さに等しい長さである第１長さ(H1)を有しているので、ファンロータ(3)の全周にわたって、ファンロータ(3)外周の空気がリング部(17)とハウジング(2)の内壁(20)との隙間(21)を通して空気がもれてファンロータ(3)の吸込み側へ空気が逆流することを防止することが可能である。しかも、逆流防止板(10)の長さは、舌部(14)近傍の所定の範囲内において上記の第１長さ(H1)よりも長い第２長さ(H2)になるように設定されているので、舌部(14)近傍の所定の範囲内において、リング部(17)とハウジング(2)の内壁(20)との隙間(21)を通しての空気の逆流だけでなく、リング部(17)よりも吸込口(7)から遠い位置において羽根(18)の間を通して生じる空気の逆流を効果的に防止することが可能である。しかも、舌部(14)近傍の所定の範囲以外の範囲内では、逆流防止板(10)の長さが上記の収容部(2a)の内壁(20)の吸込口(7)側からリング部(17)の遠位端(17a)までの長さに等しい長さである第１長さ(H1)に設定されているので、この範囲における羽根(18)の間を通ってファンロータ(3)外部へ吹き出す空気流れを逆流防止板(10)が阻害することを回避することが可能であり、ファン効率の低下を抑制することが可能である。その結果、ファンロータ(3)の吸い込み側へのもれ防止とファン性能の劣化防止を両立することが可能になる。
【０００９】
また、前記逆流防止板(10)の長さは、前記第１長さ(H1)と前記第２長さ(H2)との間で移行する区間において徐々に変わるように設定されているのが好ましい。
【００１０】
かかる構成によれば、逆流防止板(10)の長さがファンロータ(3)の周方向において徐々に変わるように設定されているので、その長さが急に変化する部分がないので、気流の乱れを抑えることが可能になり、ファン効率の低下をより抑えることが可能である。
【００１１】
また、前記所定の範囲は、前記ファンロータ(3)の周方向について前記回転軸から前記舌部(14)を向く方向を基準として±２０度の範囲であり、当該±２０度の範囲内において、前記逆流防止板(10)の長さは、前記第２長さ(H2)になるように設定されているのが好ましい。
【００１２】
ファンロータ(3)の周方向について回転軸から舌部(14)を向く方向を基準として±２０度の範囲では、リング部(17)より吸込口(7)から遠い位置において羽根(18)の間を通して生じる空気の逆流が生じるおそれがあるが、上記の構成によれば、この範囲内において、逆流防止板(10)が第１長さ(H1)よりも長い第２長さ(H2)まで延びているので、当該舌部(14)近傍において±２０度の範囲内でリング部(17)より吸込口(7)から遠い位置において羽根(18)の間を通して生じる空気の逆流をより効果的に防止することが可能である。その一方で、それ以外の範囲におけるファンロータ(3)からの空気の吹出しを逆流防止板が阻害することを効果的に回避することが可能である。
【発明の効果】
【００１３】
以上のように、本発明によれば、ファンロータの吸い込み側へのもれ流れの防止とファン性能の劣化防止を両立することができる。
【図面の簡単な説明】
【００１４】
【図１】本発明の実施形態にかかるプロペラファンを示す平面図である。
【図２】図１のＩＩ−ＩＩ線断面図である。
【図３】図２の逆流防止板における舌部から離れている部分およびその周辺を拡大した断面図である。
【図４】図２の逆流防止板における舌部近傍の部分およびその周辺を拡大した断面図である。
【図５】図２の逆流防止板の長さと回転軸回りの角度との関係を示すグラフである。
【発明を実施するための形態】
【００１５】
以下、本発明の実施形態にかかるシロッコファンについて図面を参照しながら詳細に説明する。
【００１６】
図１〜２に示されるシロッコファン１は、ハウジング（具体的には、スクロールハウジング）２と、このハウジング２内に収容されたファンロータ３とを備えている。ハウジング２は、後述の吸込口７を形成するベルマウス４を有する。
【００１７】
ファンロータ３は、モータＭの駆動軸Ｓに接続され、このモータＭの駆動によりハウジング２内において回転軸Ａを中心に回転方向Ｄに回転する。
【００１８】
ハウジング２は、ハウジング本体２ａと、ハウジング本体２ａの側面から突出した吐出管部２ｂとを備えており、ハウジング本体２ａおよび吐出管部２ｂは一体に形成されている。
【００１９】
すなわち、ハウジング本体２ａおよび吐出管部２ｂは、ファンロータ３の回転軸Ａの軸方向の正面側Ｆに配設された正面板１１と、背面側Ｒに配設された背面板１２と、正面板１１と背面板１２の間に配設された側面板（胴板）１３とが結合されることによって一体に形成されている。ハウジング２は、これらの板１１、１２，１３によって、中空のケースを構成している。
【００２０】
ハウジング本体２ａは、その内部に、ファンロータ３が収容される収容空間６を有しており、本発明の収容部の概念に含まれる。さらに、正面板１１のうちハウジング本体２ａを構成する部分には、収容空間６に連通する開口１５が形成されている。開口１５には、ベルマウス４が取り付けられている。ベルマウス４は、収容空間６内に空気を流入させるための吸込口７を形成する。ベルマウス４の具体的な構成については、後段において、リング部材５と関連させながら詳細に説明する。
【００２１】
吐出管部２ｂは、略四角形の筒状に形成され、ハウジング本体２ａの側面からハウジング本体２ａの外周面の接線方向に突出する部分である。
【００２２】
吐出管部２ｂとハウジング本体２ａとの境界部分には、ハウジング２の内側に突出する舌部１４が形成されている。図１に示すように、舌部１４は、吐出管部２ｂの側面とハウジング本体２ａの側面とが平面視で鋭角をなすようにつながることによって形成されている。ハウジング２における側面板１３の内面とファンロータ３における半径方向の外側の端部との間隔は、舌部１４から回転方向Ｄに沿って次第に大きくなる。
【００２３】
吐出管部２ｂの先端側には、ハウジング本体２ａの収容空間６内の空気を外部に吹き出させるための吹出口８が形成されている。吹出口８は、吐出管部２ｂの内部空間を通して収容空間６に連通している。
【００２４】
上記のハウジング２では、吸込口７及び吹出口８以外の部位は、正面板１１、背面板１２、側面板１３および当該背面板１２に嵌合するモータＭにより塞がれている。
【００２５】
ファンロータ３は、ハウジング２の背面板１２に対向して配置された円盤状の主板１６と、回転軸Ａの周囲の円周上回転方向Ｄに沿って配列された複数の前向き羽根（以下、羽根という）１８と、当該羽根１８のそれぞれの吸込み側の端部を互いに連結する環状のリング部としてのエンドリング１７とを有している。
【００２６】
主板１６は、モータＭの駆動軸Ｓに対して連結部材１９を介して接続され、駆動軸Ｓとともに回転軸Ａ回りに回転することが可能である。各羽根１８の背面側Ｒの端部は主板１６につながっている。各羽根１８における前縁から後縁までの長さ（翼弦長）は、回転軸Ａの軸方向においてほぼ一定である。なお、前記翼弦長は、正面側Ｆから背面側Ｒにかけて次第に大きくなる形状であってもよい。
【００２７】
エンドリング１７は、複数の羽根１８の吸込み側（すなわち、図２の正面側Ｆ）の端部であって当該羽根１８の外周側に位置する部分に連結されている。各羽根１８の正面側Ｆの端部同士がエンドリング１７を介して連結されることにより、各羽根１８は補強されている。エンドリング１７は、矩形断面形状を有する環状の部材であり、ファンロータ３の外周縁に設けられている。本実施形態では、ファンロータ３とエンドリング１７とが樹脂成形により一体成形されている。エンドリング１７は、本発明のリング部の概念に含まれる。
【００２８】
図３に示されるように、ベルマウス４は、筒状の空気案内部９と、当該空気案内部９の外周側に配置された逆流防止板１０と、これらの空気案内部９と逆流防止板１０とを連結する連結部２３とを備えている。
【００２９】
空気案内部９は、ハウジング本体２ａの開口１５の内側に配置され、ハウジング２の正面側Ｆから背面側Ｒへ向かうにつれて内径が狭くなる筒状の部分である。具体的には、空気案内部９の内周面９ａは、その内径が正面側Ｆから背面側Ｒに向かうにつれて小さくなる湾曲形状を有している。このような空気案内部２５によって、ハウジング２の吸込口７が形成されている。吸込口７は、ファンロータ３の羽根１８の吸込み側（図２の正面側Ｆ）の端部に対向して開口している。
【００３０】
逆流防止板１０は、ハウジング本体２ａにおいて正面板１１における吸込口７が形成された部位（具体的には、正面板１１の開口１５の縁付近の部位）の内壁２０から回転軸Ａの延びる方向に突出する円筒状の部材であり、エンドリング１７の外周を取り囲むように配置される。逆流防止板１０は、ファンロータ３の外周の空気がエンドリング１７とハウジング本体２ａの内壁２０との隙間２１（図３参照）を通って当該ファンロータ３の吸込み側へ空気が逆流することを防止する。
【００３１】
ベルマウス４は、円筒状の逆流防止板１０をハウジング本体２ａの開口１５の内周縁に沿って当該開口１５に嵌め込むことによって、ハウジング本体２ａの開口１５に取り付けられている。また、ベルマウス４は、その外周面から半径方向外側へ突出する環状のフランジ部４ａを有しているので、このフランジ部４ａを開口１５周辺の正面板１１に当接することにより、逆流防止板１０をハウジング２の内部に所定の突出量で突出するように位置決めすることが可能である。
【００３２】
ベルマウス４は、上記の空気案内部９、逆流防止板１０およびフランジ部４ａが一体になるように、樹脂によって一体成形されている。
【００３３】
回転軸Ａの延びる方向における逆流防止板１０の長さは、舌部１４近傍の所定の範囲以外の範囲内では、ハウジング本体２ａにおける吸込口７が形成された部位（具体的には、図３に示される正面板１１の開口１５の縁付近の部位）の内壁２０からエンドリング１７における吸込口７から遠い側の端である遠位端１７ａまでの長さに等しい長さである第１長さＨ１に設定され、かつ、舌部１４近傍の所定の範囲内においては、前記第１長さＨ１よりも長い第２長さＨ２になるように設定されている。
【００３４】
具体的には、図１に示される舌部１４近傍の所定の範囲以外の範囲として、例えば、回転軸Ａと舌部１４の先端１４ａとを結ぶ基準線Ｐを基準として、４０〜３２０度程度の範囲θ１（図１および図５参照）では、逆流防止板１０の長さは、図２および図３に示されるように、回転軸Ａの延びる方向におけるハウジング本体２ａにおける吸込口７が形成された部位の内壁２０からエンドリング１７の遠位端１７ａまでの長さに等しい長さである第１長さＨ１になるように設定されている。なお、図２〜３では、逆流防止板１０のうち、上記の範囲θ１内の部分に符号１０ａを付して示している。これにより、図３に示されるように、ファンロータ３外周の空気がエンドリング１７とハウジング本体２ａの内壁２０との隙間２１を通して生じる空気の逆流ＲＦ１を防止する。なお、ここでいう第１長さＨ１は、ハウジング本体２ａにおける吸込口７が形成された部位の内壁２０からエンドリング１７の遠位端１７ａまでの長さをいうが、本発明では、回転軸Ａの延びる方向においてエンドリング１７の遠位端１７ａよりも吸込口７から多少遠い位置または多少近い位置も含む長さを意味する。
【００３５】
また、図１および図５に示されるように、舌部１４近傍の所定の範囲は、例えば、基準線Ｐを基準として±２０度の範囲θ２に設定される。この±２０度の範囲θ２内において、逆流防止板１０の長さは、第１長さＨ１よりも長い第２長さＨ２になるように設定されている。具体的には、舌部１４近傍の範囲θ２として、回転軸Ａから舌部１４を向く基準線Ｐののびる方向を基準として±２０度の範囲θ２が設定され、この範囲θ２の範囲内において、図４に示されるように、逆流防止板１０の長さは、エンドリング１７よりも吸込口７から遠い位置において羽根１８の間を通して生じる空気の逆流ＲＦ２を防止するために、前記第２長さＨ２になるように設定されている。なお、図２および図４では、逆流防止板１０のうち、上記の範囲θ２の範囲内の部分に符号１０ｂを付して示している。上記のように、第２長さＨ２に設定される範囲θ２が±２０度の範囲に設定されているので、舌部１４近傍において±２０度の範囲内でエンドリング１７より吸込口７から遠い位置において羽根１８の間を通して生じる空気の逆流を防止するとともに、それ以外の範囲（例えば、図１の範囲θ１）におけるファンロータ３からの空気の吹出しを逆流防止板１０が阻害することを回避することが可能である。
【００３６】
ここで、上記の範囲θ２は、ファンロータ３の周方向について回転軸Ａから舌部１４の先端１４ａを向く基準線Ｐの延びる方向を基準として±２０度の範囲内であれば任意に設定されてもよいが、より好ましくは、羽根１８の間を通して生じる空気の逆流が最も強い範囲である±１０度の範囲内に設定されるのがよい。範囲θ２が±１０度の範囲内に設定されることによって、より狭い範囲で羽根１８の間を通して生じる空気の逆流を効果的に防止することが可能である。
【００３７】
また、本実施形態のシロッコファン１では、上記の範囲θ１と範囲θ２とに挟まれた範囲θ３は、逆流防止板１０の長さが第１長さＨ１と第２長さＨ２との間で徐々に移行する範囲として設定されている。この範囲θ３では、逆流防止板１０の長さは、第１長さＨ１から第２長さＨ２へまたはその逆に徐々に変わるように設定されている。これにより、逆流防止板１０の長さが急に変わる部分がなく、逆流防止板１０の先端形状が滑らかに連続するので、逆流防止板１０による気流の乱れを抑えることが可能になる。
【００３８】
本実施形態では、この逆流防止板１０の長さが変わる範囲θ３は、上記の第２長さＨ２に設定される範囲θ２に関連して適宜設定すればよく、例えば、図５に示されるように、２０〜４０度および３２０〜３４０度の範囲に設定される。
【００３９】
上記のように構成されたシロッコファン１では、モータＭの駆動力によってファンロータ３が回転すると、図２の空気流れＳＦに示されるように、外部の空気がベルマウス４を通してハウジング２内に吸い込まれる。ハウジング２内に吸い込まれた空気は、回転軸Ａの軸方向の正面側Ｆから回転軸Ａの延びる方向に沿って背面側Ｒに向かってファンロータ３内に流入し、羽根１８同士の隙間２２（図１参照）を通過して半径方向外側にファンロータ３から流出する。この流出した空気は、ハウジング２のハウジング本体２ａの内部を回転方向Ｄに沿って移動し、吐出管部２ｂの吹出口８から吐出される。
【００４０】
このとき、逆流防止板１０は、ファンロータ３の全周にわたって第１長さＨの長さで覆っているので、ファンロータ３外周の空気がエンドリング１７とハウジング２の内壁２０との隙間２１を通して空気がもれてファンロータ３の吸込み側へ空気が逆流（図３の空気流れＲＦ１参照）するのを防止する。
【００４１】
それとともに、逆流防止板１０は、舌部１４近傍の所定の範囲において上記の第１長さＨ１よりも長い第２長さＨ２になるように設定されているので、舌部１４近傍の所定の範囲において、エンドリング１７とハウジング２の内壁２０との隙間２１を通しての空気の逆流だけでなく、エンドリング１７よりも吸込口７から遠い位置において羽根１８の間を通して生じる空気の逆流（図４の空気流れＲＦ２参照）を防止する。その一方では、舌部１４近傍の所定の範囲以外の範囲では、逆流防止板１０は、第１長さＨ１に設定されているので、羽根１８の間を通ってファンロータ３外部へ吹き出す空気流れを逆流防止板１０が阻害することを回避する。このようにして、ファンロータ３の吸い込み側へのもれ流れを防止するとともに、ファン性能の劣化防止を両立することができる。
【００４２】
（特徴）
（１）
本実施形態のシロッコファン１では、逆流防止板１０がファンロータ３のエンドリング１７の外周を取り囲むように配置されているので、当該逆流防止板１０はファンロータ３の全周にわたってエンドリング１７の外周を覆っている。そして、逆流防止板１０の長さは、回転軸Ａの延びる方向から見て、少なくともハウジング２の収容空間部６における吸込口７が形成された部位の内壁２０からエンドリング１７における吸込口７から遠い側の端である遠位端までの長さに等しい長さである第１長さＨ１を有しているので、ファンロータ３の全周にわたって、ファンロータ３外周の空気がエンドリング１７とハウジング２の内壁２０との隙間２１を通して空気がもれてファンロータ３の吸込み側（図２の正面側Ｆ）へ空気が逆流（図３の空気流れＲＦ１参照）することを防止することが可能である。しかも、逆流防止板１０の長さは、舌部１４近傍の所定の範囲において上記の第１長さＨ１よりも長い第２長さＨ２になるように設定されているので、舌部１４近傍の所定の範囲において、エンドリング１７とハウジング２の内壁２０との隙間２１を通しての空気の逆流だけでなく、エンドリング１７よりも吸込口７から遠い位置において羽根１８の間を通して生じる空気の逆流（図４の空気流れＲＦ２参照）を効果的に防止することが可能である。しかも、舌部１４近傍の所定の範囲以外の範囲では、逆流防止板１０の長さが上記のハウジング本体２ａにおける吸込口７が形成された部位の内壁２０からエンドリング１７の遠位端までの長さに等しい長さである第１長さＨ１に設定されているので、この範囲における羽根１８の間を通ってファンロータ３外部へ吹き出す空気流れを逆流防止板１０が阻害することを回避することが可能であり、ファン効率の低下を抑制することが可能である。その結果、ファンロータ３の吸い込み側へのもれ防止とファン性能の劣化防止を両立することが可能になる。
【００４３】
（２）
本実施形態のシロッコファン１では、逆流防止板１０の長さは、前記第１長さＨ１と前記第２長さＨ２との間で移行する区間である図１および図５に示される範囲θ３において徐々に変わるように設定されている。このように、逆流防止板１０の長さがファンロータ３の周方向において徐々に変わるように設定されているので、その長さが急に変化する部分がないので、気流の乱れを抑えることが可能になり、ファン効率の低下をより抑えることが可能である。
【００４４】
（３）
本実施形態のシロッコファン１では、ファンロータ３の周方向について回転軸Ａから舌部１４を向く方向を基準として±２０度の範囲内において、逆流防止板１０の長さは、前記第２長さＨ２になるように設定されているので、当該舌部１４近傍において±２０度の範囲内でエンドリング１７より吸込口７から遠い位置において羽根１８の間を通して生じる空気の逆流をより効果的に防止することが可能である。その一方で、それ以外の範囲におけるファンロータ３からの空気の吹出しを逆流防止板１０が阻害することを効果的に回避することが可能である。
【００４５】
（変形例）
上記実施形態では、エンドリング１７がファンロータ３の羽根１８と一体に形成されている例が示されているが、本発明はこれに限定されるものではなく、エンドリング１７を羽根１８と別個に形成し、その後、当該エンドリング１７を羽根１８の外周に固定してもよい。その場合も、上記実施形態の作用効果を奏することが可能である。
【符号の説明】
【００４６】
１  シロッコファン
２  ハウジング
２ａ  ハウジング本体（収容部）
２ｂ  吐出管部
３  ファンロータ
４  ベルマウス
６  収容空間部
７  吸込口
８  吹出口
１０  逆流防止板
１７  エンドリング（リング部）
１８  羽根
２０  内壁
【図１】
2014077380.tif 000003
【図２】
2014077380.tif 000004
【図３】
2014077380.tif 000005
【図４】
2014077380.tif 000006
【図５】
2014077380.tif 000007